(57)【要約】【課題】画像転写装置における転写電圧の最適範囲を演算で求め、環境条件毎及び印刷用媒体毎に転写電圧を決定するための実験の工数を減らすことができる転写電圧演算装置及び転写電圧演算プログラムを提供する。                          【解決手段】ニップ形状取得部１０は、転写装置のニップ領域Ｎを構成する部材の形状を取得し、この形状等に基づいて、電界計算部１２が、印刷用媒体１０４からトナー層１０６への放電電荷密度とトナー層１０６の表面の電界強度を複数のバイアス電圧Ｖについて複数算出し、上下限値決定部１４は、上記放電電荷密度のうち予め定めた閾値以下となる放電電荷密度と、電界強度のうち予め定めた閾値以上となる電界強度とに対応するバイアス電圧Ｖの範囲から、バイアス電圧Ｖの上下限値を決定する。【選択図】図３
2013242352.tif 000002
【特許請求の範囲】
【請求項１】
印刷用媒体を挟み、転写電圧を作用させて画像を転写する転写領域において、前記印刷用媒体を挟む部材の形状に基づいて、前記印刷用媒体の搬送方向の複数の位置において、トナー及び各部材への放電電荷密度とトナーの電界強度とを複数の転写電圧について算出する電界計算手段と、
前記算出した放電電荷密度が予め定めた閾値以下となり、かつ前記算出した電界強度が予め定めた閾値以上となる範囲に基づき、前記転写電圧の上限値と下限値とを決定する上下限値決定手段と、
を備えることを特徴とする転写電圧演算装置。
【請求項２】
前記上限値と下限値とは、複数のシステム抵抗について決定されることを特徴とする請求項１に記載の転写電圧演算装置。
【請求項３】
前記上限値と下限値とは、複数種類の前記印刷用媒体について決定されることを特徴とする請求項１または請求項２に記載の転写電圧演算装置。
【請求項４】
前記電界計算手段は、前記印刷用媒体の表面粗さに基づき、前記印刷用媒体とトナー層との間隙を設定して放電電荷密度と電界強度とを算出することを特徴とする請求項１から請求項３のいずれか一項に記載の転写電圧演算装置。
【請求項５】
コンピュータを、
印刷用媒体を挟み、転写電圧を作用させて画像を転写する転写領域において、前記印刷用媒体を挟む部材の形状に基づいて、前記印刷用媒体の搬送方向の複数の位置において、トナー及び各部材への放電電荷密度とトナーの電界強度とを複数の転写電圧について算出する電界計算手段、
前記算出した放電電荷密度が予め定めた閾値以下となり、かつ前記算出した電界強度が予め定めた閾値以上となる範囲に基づき、前記転写電圧の上限値と下限値とを決定する上下限値決定手段、
として機能させることを特徴とする転写電圧演算プログラム。
【発明の詳細な説明】
【技術分野】
【０００１】
本発明は、転写電圧演算装置及び転写電圧演算プログラムに関する。
【背景技術】
【０００２】
特許文献１には、読み書き可能なメモリを有する情報処理装置において導電率の電界依存性を有する装置の電位分布を解析する解析方法であって、前記装置のシミュレーションモデルをメッシュ分割し、該分割して得られたデータを前記メモリに格納する分割ステップと、前記分割ステップにおいて分割された各要素における電界強度および前記電界強度に対応する導電率に基づいて、各要素の電位を算出し、該算出結果を前記メモリに格納する電位算出ステップとを有することを特徴とする解析方法が開示されている。
【０００３】
また、特許文献２には、計算領域を分割して複数のセルを形成する計算領域分割工程と、計算領域分割工程で得た各セルの電位を算出する電位算出工程と、計算領域分割工程で得た各セルに流入または流出する電荷量を算出する移流電荷量算出工程と、計算領域分割工程で得た各セルに流入または流出する電荷量を算出する電位差移動電荷量算出工程と、計算領域分割工程で得た各セルに流入または流出する電荷量を算出する放電電荷量算出工程と、を有する電位分布に影響を及ぼすパラメータに応じた電位分布を算出する電位分布解析方法が開示されている。
【先行技術文献】
【特許文献】
【０００４】
【特許文献１】特開２００５−３４６１４１号公報
【特許文献２】特開２００３−２６２６１７号公報
【発明の概要】
【発明が解決しようとする課題】
【０００５】
本発明の目的は、画像転写装置における転写電圧の最適範囲を演算で求め、環境条件毎及び印刷用媒体毎に転写電圧を決定するための実験の工数を減らすことができる転写電圧演算装置及び転写電圧演算プログラムを提供することにある。
【課題を解決するための手段】
【０００６】
上記目的を達成するために、請求項１に記載の転写電圧演算装置の発明は、印刷用媒体を挟み、転写電圧を作用させて画像を転写する転写領域において、前記印刷用媒体を挟む部材の形状に基づいて、前記印刷用媒体の搬送方向の複数の位置において、トナー及び各部材への放電電荷密度とトナーの電界強度とを複数の転写電圧について算出する電界計算手段と、前記算出した放電電荷密度が予め定めた閾値以下となり、かつ前記算出した電界強度が予め定めた閾値以上となる範囲に基づき、前記転写電圧の上限値と下限値とを決定する上下限値決定手段と、を備えることを特徴とする。
【０００７】
請求項２に記載の発明は、請求項１に記載の発明において、前記上限値と下限値とが、複数のシステム抵抗について決定されることを特徴とする。
【０００８】
請求項３に記載の発明は、請求項１または請求項２に記載の発明において、前記上限値と下限値とが、複数種類の前記印刷用媒体について決定されることを特徴とする。
【０００９】
請求項４に記載の発明は、請求項１から請求項３のいずれか一項に記載の発明において、前記電界計算手段は、前記印刷用媒体の表面粗さに基づき、前記印刷用媒体とトナー層との間隙を設定して放電電荷密度と電界強度とを算出することを特徴とする。
【００１０】
請求項５に記載の転写電圧演算プログラムの発明は、コンピュータを、印刷用媒体を挟み、転写電圧を作用させて画像を転写する転写領域において、前記印刷用媒体を挟む部材の形状に基づいて、前記印刷用媒体の搬送方向の複数の位置において、トナー及び各部材への放電電荷密度とトナーの電界強度とを複数の転写電圧について算出する電界計算手段、前記算出した放電電荷密度が予め定めた閾値以下となり、かつ前記算出した電界強度が予め定めた閾値以上となる範囲に基づき、前記転写電圧の上限値と下限値とを決定する上下限値決定手段、として機能させることを特徴とする。
【発明の効果】
【００１１】
請求項１の発明によれば、画像転写装置における転写電圧の最適範囲を演算で求め、環境条件毎及び印刷用媒体毎に転写電圧を決定するための実験の工数を減らすことができる。
【００１２】
請求項２の発明によれば、画像転写装置が取り得るシステム抵抗の範囲において転写電圧の最適範囲を演算できる。
【００１３】
請求項３の発明によれば、画像転写装置が使用する複数種類の印刷用媒体について転写電圧の最適範囲を演算できる。
【００１４】
請求項４の発明によれば、印刷用媒体の表面粗さに基づいて求めた空気層の厚みを転写電圧の最適範囲の演算に使用できる。
【００１５】
請求項５の発明によれば、画像転写装置における転写電圧の最適範囲を演算で求め、環境条件毎及び印刷用媒体毎に転写電圧を決定するための実験の工数を減らすことができる転写電圧演算プログラムを提供できる。
【図面の簡単な説明】
【００１６】
【図１】実施形態にかかる転写電圧演算装置の演算対象である転写装置の構成例の部分断面図である。
【図２】転写装置のニップ領域Ｎを１次元的にあらわした模式図である。
【図３】実施形態にかかる転写電圧演算装置の構成例の機能ブロック図である。
【図４】バイアス電圧と印刷用媒体からトナー層への放電電荷密度との関係の例を示す図である。
【図５】バイアス電圧とトナー層の表面の電界強度との関係の例を示す図である。
【図６】実施形態にかかる上下限値決定部が決定したバイアス電圧の上下限値とシステム抵抗との関係の例を示す図である。
【図７】表面粗さと平滑度との関係の例を示す図である。
【図８】実施形態にかかる転写電圧演算装置の動作例のフロー図である。
【発明を実施するための形態】
【００１７】
以下、本発明を実施するための形態（以下、実施形態という）を、図面に従って説明する。
【００１８】
図１には、実施形態にかかる転写電圧演算装置の演算対象である転写装置の構成例の部分断面図が示される。図１において、転写装置は、転写ロール１００と中間転写ベルト１０２とを含んで構成されている。転写ロール１００と中間転写ベルト１０２とは、互いに押圧しながら接触してニップ領域（転写領域）Ｎを構成する。このニップ領域Ｎには、印刷用紙等の印刷用媒体１０４が挟まれ、転写ロール１００と中間転写ベルト１０２とにより図の矢印Ａ方向に搬送される。また、転写ロール１００と中間転写ベルト１０２を挟んで転写ロール１００の反対側に位置する図示しないバックアップロールが弾性材料で構成されており、ニップ領域Ｎでは、転写ロール１００と中間転写ベルト１０２とが互いに押圧しながら接触しているので、形状が変形しつつ接触している。
【００１９】
上記転写ロール１００と、中間転写ベルト１０２を挟んで転写ロール１００の反対側に位置するバックアップロール（図示せず）との間には転写用のバイアス電圧（転写電圧）が印加され、中間転写ベルト１０２上に保持されたトナー像が上記ニップ領域Ｎにて印刷用媒体１０４に上記矢印Ａ方向への搬送中に転写される。
【００２０】
なお、上記転写ロール１００は、例えば接触転写ロール等を例示できる。また、図１では中間転写ベルト１０２を例示しているが、この代わりに感光体ドラムであってもよい。
【００２１】
図２には、転写装置のニップ領域Ｎを１次元的に表現した模式図が示される。図２は、ニップ領域Ｎに印刷用媒体１０４が挟まれている状態である。
【００２２】
図２において、転写ロール１００と中間転写ベルト１０２との間に印刷用媒体１０４が挟まれており、中間転写ベルト１０２の表面（図２では下側）には、トナー像に対応するトナー層１０６が保持されている。また、転写ロール１００と、中間転写ベルト１０２を挟んで転写ロール１００の反対側に位置するバックアップロール１０８との間には転写用のバイアス電圧Ｖが印加されている。ここで、トナー層１０６は、上記バイアス電圧Ｖにより電界が生じており、この電界により中間転写ベルト１０２から印刷用媒体１０４にトナー層１０６が転写される。
【００２３】
図３には、実施形態にかかる転写電圧演算装置の構成例の機能ブロック図が示される。図３において、転写電圧演算装置は、ニップ形状取得部１０、電界計算部１２、上下限値決定部１４及び記憶部１６を含んで構成されている。
【００２４】
なお、上記転写電圧演算装置は、ＣＰＵ、ＲＯＭ、ＲＡＭ、不揮発性メモリ、Ｉ／Ｏ等を備えており、各種演算を行うコンピュータとして構成されている。
【００２５】
ニップ形状取得部１０は、上記ニップ領域Ｎにおいて、上記印刷用媒体１０４を挟む転写ロール１００と中間転写ベルト１０２等の部材の形状（上記変形した幾何形状）を公知の構造解析の方法により求める。
【００２６】
電界計算部１２は、上記ニップ領域Ｎにおいて電界計算を行い、転写ロール１００とバックアップロール１０８との間にバイアス電圧Ｖを印加したときの上記ニップ領域Ｎ、及び上記印刷用媒体１０４の搬送方向Ａに関してニップ領域Ｎの上流側と下流側に発生している電界の強度と、印刷用媒体１０４からトナー層１０６への放電電荷密度とを算出する。この場合、電界強度については、上記印刷用媒体１０４の搬送方向Ａの複数の位置において、トナー層１０６の中間転写ベルト１０２側表面の電界強度を複数（ｎ水準）のバイアス電圧Ｖについて複数（ｎ回）算出する。複数の位置で算出された電界強度のうち、最も高い値がそのときのバイアス電圧に対する電界強度として採用される。また、放電電荷密度についても、上記印刷用媒体１０４の搬送方向Ａの複数の位置において、印刷用媒体１０４からトナー層１０６への放電電荷密度を複数（ｎ水準）のバイアス電圧Ｖについて複数（ｎ回）算出する。上記複数の位置で算出された放電電流密度の積分値がそのときのバイアス電圧に対する放電電荷密度として採用される。
【００２７】
ここで、印刷用媒体１０４の搬送方向Ａの複数の位置とは、例えば図１に記載された矢印ａ１、ａ２、ａ３、ａ４、ａ５、ａ６が指し示す位置のように、ニップ領域Ｎ及びその上流側と下流側を含めた範囲の複数の位置をいう。なお、図１では６点（矢印ａ１、ａ２、ａ３、ａ４、ａ５、ａ６）が例示されているが、これに限られず、適宜決定した数の点に対するトナー層１０６の中間転写ベルト１０２側表面の電界強度分布及び印刷用媒体１０４からトナー層１０６への放電電荷密度分布を算出することができる。これらの位置は、予め設定し、記憶部１６に記憶しておくのが好適である。また、上記バイアス電圧Ｖは、転写装置の設計値の範囲に基づき、適宜な数（ｎ水準）の電圧値を予め設定し、記憶部１６に記憶しておくのが好適である。また、上記電界強度及び放電電荷密度は、複数種類の印刷用媒体１０４について算出される。複数種類の印刷用媒体１０４とは、転写装置で使用が予定されている印刷用媒体１０４の全ての種類のことをいう。印刷用媒体１０４の種類も予め記憶部１６に記憶しておく。また、電界強度及び放電電荷密度を算出する際の転写装置のシステム抵抗も測定される。ここで、システム抵抗とは、上記図２において、トナー層１０６及び印刷用媒体１０４無しの条件で転写ロール１００とバックアップロール１０８との間にバイアス電圧Ｖを印加したときに流れた電流をＩとすると、Ｖ／Ｉで求められる値である。このシステム抵抗は、転写ロール１００や中間転写ベルト１０２等の転写装置を構成する部材の組合せ、転写装置が設置された環境の温度、湿度等の環境条件及び使用部品の公差等に基づいて決まる抵抗値であり、適宜な方法で測定することができる。
【００２８】
以上に述べた電界計算部１２が実行する電界計算は、転写ロール１００、中間転写ベルト１０２、印刷用媒体１０４、トナー層１０６の体積抵抗率、比誘電率、厚さ、トナー層１０６の電荷密度、ニップ形状取得部１０が取得した転写ロール１００と中間転写ベルト１０２の形状及び電界状態、印刷用媒体１０４の搬送速度、バイアス電圧Ｖに基づき、ガウスの法則、オームの法則、電荷保存則等を基礎式として、例えば特開２００６−２７６２４７号に記載された公知の電界計算方法により行われる。なお、上記各データは、適宜な入力装置から入力してもよいし、予め記憶部１６に記憶させておき、読み出して使用する構成としてもよい。また、体積抵抗率は、バイアス電圧Ｖへの依存性があるので、各部材に作用する電圧Ｖと体積抵抗率との関係をテーブルとして持ち（記憶部１６に記憶させておき）、各部材に作用する分圧Ｖの変化を監視しつつ、このテーブルを参照して体積抵抗率を変更する構成が好適である。
【００２９】
上下限値決定部１４は、電界計算部１２が複数算出した放電電荷密度のうち予め定めた閾値以下となる放電電荷密度に対応するバイアス電圧Ｖと、電界計算部１２が複数算出した電界強度のうち予め定めた閾値以上となる電界強度に対応するバイアス電圧Ｖとの範囲からバイアス電圧Ｖの上限値と下限値とを決定する。上記閾値は、予め転写装置について実測し、記憶部１６に記憶しておく。
【００３０】
上記閾値は、次のようにして決定することができる。まず、バイアス電圧Ｖをｎ水準設定し、低い電圧から段階的に電圧を上げつつ電界計算部１２が、上記ｎ水準のバイアス電圧Ｖについて印刷用媒体１０４からトナー層１０６への放電電荷密度及びトナー層１０６の表面の電界強度を算出する。なお、これらの演算は、使用が予定されている印刷用媒体１０４のうちのいずれか１種類で実行すればよい。
【００３１】
図４には、バイアス電圧Ｖと印刷用媒体１０４からトナー層１０６への放電電荷密度との関係の例が示され、図５には、バイアス電圧Ｖとトナー層１０６の表面の電界強度との関係の例が示される。図４において、横軸がバイアス電圧Ｖ（ｋＶ）であり、縦軸が放電電荷密度（Ｃ／ｍ２）である。また、図５において、横軸がバイアス電圧Ｖ（ｋＶ）であり、縦軸が電界強度（Ｖ／ｍ）である。なお、図４に四角（□）で表された各点、及び図５に三角（△）で表された各点は、それぞれ複数のバイアス電圧Ｖについて複数算出された放電電荷密度及び電界強度である。
【００３２】
また、上記放電電荷密度及び電界強度の算出に使用した印刷用媒体１０４について、予め実験により最低バイアス電圧と最高バイアス電圧とを求める。最低バイアス電圧とは、印刷用媒体１０４へトナー層１０６を転写させることのできる最低のバイアス電圧Ｖであり、最高バイアス電圧とは、印刷用媒体１０４からトナー層１０６への放電が多くなって印刷用媒体１０４上の画像に濃度むらまたは濃度が低下するバイアス電圧を超えない最高のバイアス電圧Ｖである。これらの最低バイアス電圧及び最高バイアス電圧は、上述したように、ｎ水準設定したバイアス電圧Ｖを低い方から徐々に上げて行き、転写率（トナー画像においてトナーが転写されているトナー量の割合）が例えば９０％を超えたときのバイアス電圧Ｖを最低バイアス電圧とし、さらにバイアス電圧Ｖを上げていって、印刷用媒体１０４からトナー層１０６への放電が多くなり、画像にムラが現れ始めたときのバイアス電圧Ｖを最高バイアス電圧とする。
【００３３】
電界計算部１２は、上記最低バイアス電圧及び最高バイアス電圧に対してそれぞれ電界強度及び放電電荷密度を算出し、それぞれの閾値とする。放電電荷密度の閾値が図４にＴｈ１として示され、電界強度の閾値が図５にＴｈ２として示される。
【００３４】
上下限値決定部１４は、図４及び図５に例示された各閾値Ｔｈ１、Ｔｈ２を使用して、各種印刷用媒体１０４についてバイアス電圧Ｖの上限値と下限値とを決定する。この場合、図４に示された放電電荷密度の閾値Ｔｈ１に一致する点のバイアス電圧を逆算してバイアス電圧Ｖの上限値とする。また、図５に示された電界強度の閾値Ｔｈ２に一致する点のバイアス電圧を逆算してバイアス電圧Ｖの下限値とする。ここで、印刷用媒体１０４の種類が変わっても、印刷用媒体１０４からトナー層１０６への放電電荷密度とトナー層１０６の表面の電界強度に関する閾値は、図４、図５に例示された一定の閾値Ｔｈ１、Ｔｈ２を使用することができる。これらの閾値Ｔｈ１、Ｔｈ２は、主として中間転写ベルト１０２とトナー層１０６との間の関係により決まるからである。従って、各種印刷用媒体１０４について、上下限値決定部１４が一定の閾値Ｔｈからバイアス電圧Ｖの上限値と下限値とを決定することができる。
【００３５】
なお、図４及び図５に示された例は、上記システム抵抗が一定の場合である。そこで、転写ロール１００、中間転写ベルト１０２の体積抵抗率等を変更して種々のシステム抵抗を設定し、上記同様にバイアス電圧Ｖの上限値と下限値とを決定する。これにより、複数のシステム抵抗に対してバイアス電圧Ｖの上限値と下限値とを決定することができる。
【００３６】
図６には、上記上下限値決定部１４が決定したバイアス電圧Ｖの上下限値とシステム抵抗との関係の例が示される。図６において、横軸がシステム抵抗（ＭΩ）であり、縦軸がバイアス電圧（ｋＶ）である。図６に示される上下限値は、ある印刷用媒体１０４についてのデータであるが、このようなデータを、使用予定の全ての印刷用媒体１０４について求め、記憶部１６に記憶しておく。転写装置は、運転中に測定されるシステム抵抗と使用される印刷用媒体１０４の種類に応じて、バイアス電圧Ｖの値を、上記上下限値の間の値に設定する。この場合、上下限値の中央値でもよいし、中央値から予め定めた値だけずれた電圧値としてもよい。
【００３７】
図３に戻り、記憶部１６は、ハードディスク装置、ソリッドステートドライブ（ＳＳＤ）等の不揮発性メモリに、バイアス電圧Ｖ、転写装置が取りうるシステム抵抗の範囲、印刷用媒体１０４の種類、転写装置の構成部材の体積抵抗率、比誘電率その他のデータ、放電電荷密度と電界強度の閾値Ｔｈ１、Ｔｈ２、バイアス電圧Ｖの上下限値及びＣＰＵの動作プログラム等の、上記各処理に必要な情報を記憶させる。
【００３８】
上記電界計算部１２が行う電界計算には、転写ロール１００、中間転写ベルト１０２、印刷用媒体１０４、トナー層１０６、バックアップロール１０８の厚さの他、これらの間の間隙（空気層）の厚さも使用される。これらのうち、印刷用媒体１０４とトナー層１０６との間の空気層の厚さは、予め取得された表面粗さと空気層の厚さとの関係に基づいて決定される。ただし、表面粗さの実測が困難な場合には、予め表面粗さと平滑度との関係を求めておき、平滑度の実測値から表面粗さを求める構成が好適である。
【００３９】
図７には、表面粗さと平滑度との関係の例が示される。図７において、横軸が平滑度であり、縦軸が表面粗さである。図７の関係を求めるには、まず、ＪＡＰＡＮ  ＴＡＰＰＩ紙パルプ試験方法Ｎｏ．５（王研法）に規定された測定機器を使用し、ＪＩＳ  Ｐ  ８１１１に規定された標準条件下（温度２３＋／−２℃、相対湿度５０＋／−２％）で、上記標準条件下で前処理された印刷用媒体１０４について平滑度を測定する。平滑度は、複数種類の印刷用媒体１０４について測定する。
【００４０】
次に、上記複数種類の印刷用媒体１０４について、表面粗さ、例えば十点平均粗さ（Ｒｚ）をＪＩＳ  ０６０１−１９７６に準拠して測定する。
【００４１】
以上の測定結果から、図７に示された関係を求め、記憶部１６に記憶させる。なお、表面粗さは十点平均粗さ（Ｒｚ）に限らず、例えば中心線平均粗さ（Ｒａ）を採用してもよい。
【００４２】
図８には、本実施形態にかかる転写電圧演算装置の動作例のフロー図が示される。図８において、ニップ形状取得部１０は、ニップ領域Ｎにおいて、印刷用媒体１０４を挟む転写ロール１００と中間転写ベルト１０２等の部材の形状を公知の構造解析の方法により求める（Ｓ１）。
【００４３】
次に、電界計算部１２は、Ｓ１で取得した転写ロール１００と中間転写ベルト１０２等の部材の形状並びに転写ロール１００、中間転写ベルト１０２、印刷用媒体１０４、トナー層１０６の体積抵抗率、比誘電率、厚さ、トナー層１０６の電荷密度、電界状態、印刷用媒体１０４の搬送速度及びバイアス電圧Ｖに基づき、公知の電界計算方法により印刷用媒体１０４からトナー層１０６への放電電荷密度とナー層１０６の中間転写ベルト１０２側表面の電界強度とを、印刷用媒体１０４の搬送方向Ａの複数の位置において、複数のバイアス電圧Ｖについて複数算出する（Ｓ２）。この際、上記放電電荷密度及び電界強度は、複数の部材抵抗の組み合わせ及び複数種類の印刷用媒体１０４について算出される。
【００４４】
次に、上下限値決定部１４は、Ｓ２で複数算出した放電電荷密度のうち予め定めた閾値以下となる放電電荷密度に対応するバイアス電圧Ｖと、Ｓ２で複数算出した電界強度のうち予め定めた閾値以上となる電界強度に対応するバイアス電圧Ｖとの範囲から、バイアス電圧Ｖの上限値と下限値とを決定する（Ｓ３）。
【００４５】
上述した、図８の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明または「データ信号」の発明として捉えても良い。
【符号の説明】
【００４６】
１０  ニップ形状取得部、１２  電界計算部、１４  上下限値決定部、１６  記憶部、１００  転写ロール、１０２  中間転写ベルト、１０４  印刷用媒体、１０６  トナー層、１０８  バックアップロール。
【図１】
2013242352.tif 000003
【図２】
2013242352.tif 000004
【図３】
2013242352.tif 000005
【図４】
2013242352.tif 000006
【図５】
2013242352.tif 000007
【図６】
2013242352.tif 000008
【図７】
2013242352.tif 000009
【図８】
2013242352.tif 000010